(57)【特許請求の範囲】
【請求項１】
表裏いずれか一方に位置する一方のフィルムと、他方に位置する他方のフィルムとの間に、一方のフィルムと他方のフィルム間の開口部を二分して分割フィルムが挟み込まれ、分割フィルムを境に、一方のフィルム側と他方のフィルム側とに、それぞれ収納部が形成された袋状をなし、一方のフィルムと分割フィルムの対向面がそれぞれ低融点シーラント層、他方のフィルムと分割フィルムの対向面がそれぞれ低融点シーラント層より融点が２０℃以上高い高融点シーラント層となっており、他方のフィルムと分割フィルムの開口部側の縁部にのみジッパーが設けられていて、他方のフィルム側の収納部のみがジッパーによる開閉が可能となっていることを特徴とする多室包装袋。
【請求項２】
請求項１に記載の多室包装袋を用い、
ジッパーが閉じた状態で、一方のフィルムと他方のフィルムの開口部側の縁部を、一方のフィルムに対向する吸引盤と他方のフィルムに対向する吸引盤とでそれぞれ吸引して外方へ引っ張り、一方のフィルム側の収納部を開口させて被包装物を充填する第一充填工程と、
第一充填工程の後、一方のフィルム、分割フィルム及び他方のフィルムの開口部側の縁部を重ねてジッパーより外側部分をシールバーで挟み、高融点シーラント層を当該高融点シーラント層のシール温度領域まで加熱することなく、低融点シーラント層を当該低融点シーラント層のシール温度領域まで加熱して、一方のフィルムと分割フィルムの開口部側の縁部をジッパーより外側で熱融着する第一シール工程と、
第一シール工程の後、分割フィルムが熱融着された一方のフィルムの開口部側の縁部と、他方のフィルムの開口部側の縁部とを、一方のフィルムに対向する吸引盤と他方のフィルムに対向する吸引盤とでそれぞれ吸引して外方へ引っ張り、ジッパーを開放すると共に、他方のフィルム側の収納部を開口させて被包装物を充填する第二充填工程と、
第二充填工程の後、分割フィルムが熱融着された一方のフィルムの開口部側の縁部と、他方のフィルムの開口部側の縁部とを重ねてジッパーより外側部分をシールバーで挟み、高融点シーラント層を当該高融点シーラント層のシール温度領域まで加熱して、他方のフィルムと分割フィルムの開口部側の縁部をジッパーより外側で熱融着する第二シール工程と
を有することを特徴とする包装体の製造方法。
【請求項３】
ジッパーの開放を、分割フィルムが熱融着された一方のフィルムの開口部側の縁部と、他方のフィルムの開口部側の縁部とを、一方のフィルムに対向する吸引盤と他方のフィルムに対向する吸引盤とでそれぞれ吸引して外方へ引っ張ることで、他方のフィルムと分割フィルムのジッパーより外側の縁部間を広げ、広げられた他方のフィルムと分割フィルムの縁部間に解除具を差し込んでジッパーに押し当てることで行うことを特徴とする請求項２に記載の包装体の製造方法。
【発明の詳細な説明】
【技術分野】
【０００１】
本発明は、自動充填包装に用いられる、複数の収納部を有する多室包装袋及びこの多室包装袋を用いた自動充填による包装体の製造方法に関する。
【背景技術】
【０００２】
従来、袋の表裏面を形成する表面フィルムと裏面フィルムとの間に、表面フィルムと裏面フィルム間の開口部を二分して分割フィルムが挟み込まれ、分割フィルムを境に、表面フィルム側と裏面フィルム側とに、それぞれ収納部が形成された袋状をなし、表面フィルム側から分割フィルムを吸引するための吸引孔（表面側吸引孔）と、裏面フィルム側から分割フィルムを吸引するための吸引孔（裏面側吸引孔）とが、表面フィルムと裏面フィルムの開口部側の縁部にそれぞれ形成された多室包装袋と、それを用いた包装体の製造方法とが知られている（例えば、特許文献１参照）。
【０００３】
さらに説明すると、被包装物は、表面フィルム側と裏面フィルム側でそれぞれ動作する吸引盤で吸引し、外方へ引っ張って各収納部を開口させることで自動充填される。上記多室包装袋の表面側吸引孔と裏面側吸引孔は、この自動充填時に、２つの収納部を別々に開口させることができるようにし、自動充填時の誤充填を防止するためのものである。例えば、表面フィルム側の吸引盤を表面側吸引孔の位置に押し当てて分割フィルムを吸引させると共に、裏面フィルム側の吸引盤を裏面側吸引孔からずれた位置に押し当てて裏面フィルムを吸引させ、それぞれ外方へ引っ張ると、裏面フィルム側の収納部を開口させることができる。これとは逆に、表面フィルム側の吸引盤を表面側吸引孔からずれた位置に押し当てて表面フィルムを吸引させると共に、裏面フィルム側の吸引盤を裏面側吸引孔の位置に押し当てて分割フィルムを吸引させ、それぞれ外方へ引っ張ると、表面フィルム側の収納部を開口させることができる。
【先行技術文献】
【特許文献】
【０００４】
【特許文献１】特許第３４１３５０６号公報
【発明の概要】
【発明が解決しようとする課題】
【０００５】
しかしながら、上記従来の多室包装袋は、両収納部への被包装物の充填後に、両収納部の開口部をシールバーで挟んで同時に密封するものであることから、先に一方の収納部に被包装物を充填した後、この一方の収納部は他方の収納部への被包装物の充填完了まで密封されていない状態で放置されることになる。このため、先に被包装物が充填される一方の収納部は、被包装物の充填後直ちに密封される他方の収納部に比して異物が混入する危険が大きくなる問題がある。例えば、一方の収納部へ第一の被包装物を充填した後、他方の収納部へ粉体や液体の第二の被包装物を充填する場合、他方の収納部への充填時に飛び散った第二の被包装物が、密封されていない開口部のわずかな隙間から一方の収納部内へ侵入してしまうことも生じる。
【０００６】
加えて、上記従来の多室包装袋は、２つの収納部を選択的に開口するために、表面フィルムと裏面フィルムの両者に吸引孔を形成することが必要となる。このため、表面フィルムに形成した吸引孔と、裏面フィルムに形成した吸引孔が共に所定の位置になるよう調整しなければならず、両フィルムのピッチ合わせなど、製袋時の工程数が増える問題がある。また、吸引孔は、通常、原反フィルムに形成するが、吸引孔が形成されることにより原反フィルムの強度が低下し、表面フィルムと裏面フィルムのいずれの原反フィルムについても製袋時の取り扱い性が低下するという問題もある。
【０００７】
さらに、被包装物の充填後は、両収納部の開口部側の縁部を熱融着して封止するが、表裏両フィルムに吸引孔が形成されているので、シールバーへシーラント材などが付着堆積しやすい問題がある。また、上記熱融着は、吸引孔が熱融着部に内包されるようにして行われるが、凹部としてその跡が表裏両面に残ってしまい、得られる包装体の見栄えを悪くする問題もある。
【０００８】
本発明は、一方の収納部への被包装物の充填後、他方の収納部への被包装物の充填前に一方の収納部を密封できるようにし、先に被包装物が充填される一方の収納部への異物の混入の危険性を抑制できるようにすることを第一の目的とする。
【０００９】
また、本発明は、吸引孔を全く用いることなく、２つの収納部を選択的に開口させることができるようにし、表裏両フィルムのピッチ合わせの手間、吸引孔の形成に伴う製袋時の原反フィルムの取り扱い性低下、シールバーへのシーラント材の付着堆積、及び封止用の熱融着部に残される吸引孔の跡による見栄えの低下をいずれも軽減又は解消できるようにすることを第二の目的とする。
【課題を解決するための手段】
【００１０】
本発明は、上記第一及び第二の目的を達成するために、多室包装袋とこの多室包装袋を用いた包装体の製造方法を提供するものである。
【００１１】
本発明の多室包装袋は、表裏いずれか一方に位置する一方のフィルムと、他方に位置する他方のフィルムとの間に、一方のフィルムと他方のフィルム間の開口部を二分して分割フィルムが挟み込まれ、分割フィルムを境に、一方のフィルム側と他方のフィルム側とに、それぞれ収納部が形成された袋状をなし、一方のフィルムと分割フィルムの対向面がそれぞれ低融点シーラント層、他方のフィルムと分割フィルムの対向面がそれぞれ低融点シーラント層より融点が２０℃以上高い高融点シーラント層となっており、他方のフィルムと分割フィルムの開口部側の縁部にのみジッパーが設けられていて、他方のフィルム側の収納部のみがジッパーによる開閉が可能となっていることを特徴とする多室包装袋である。
【００１２】
【００１３】
【００１４】
【００１５】
【００１６】
【００１７】
【００１８】
【００１９】
本発明の包装体の製造方法は、前記本発明の多室包装袋を用い、
ジッパーが閉じた状態で、一方のフィルムと他方のフィルムの開口部側の縁部を、一方のフィルムに対向する吸引盤と他方のフィルムに対向する吸引盤とでそれぞれ吸引して外方へ引っ張り、一方のフィルム側の収納部を開口させて被包装物を充填する第一充填工程と、
第一充填工程の後、一方のフィルム、分割フィルム及び他方のフィルムの開口部側の縁部を重ねてジッパーより外側部分をシールバーで挟み、高融点シーラント層を当該高融点シーラント層のシール温度領域まで加熱することなく、低融点シーラント層を当該低融点シーラント層のシール温度領域まで加熱して、一方のフィルムと分割フィルムの開口部側の縁部をジッパーより外側で熱融着する第一シール工程と、
第一シール工程の後、分割フィルムが熱融着された一方のフィルムの開口部側の縁部と、他方のフィルムの開口部側の縁部とを、一方のフィルムに対向する吸引盤と他方のフィルムに対向する吸引盤とでそれぞれ吸引して外方へ引っ張り、ジッパーを開放すると共に、他方のフィルム側の収納部を開口させて被包装物を充填する第二充填工程と、
第二充填工程の後、分割フィルムが熱融着された一方のフィルムの開口部側の縁部と、他方のフィルムの開口部側の縁部とを重ねてジッパーより外側部分をシールバーで挟み、高融点シーラント層を当該高融点シーラント層のシール温度領域まで加熱して、他方のフィルムと分割フィルムの開口部側の縁部をジッパーより外側で熱融着する第二シール工程と
を有することを特徴とする包装体の製造方法である。
【００２０】
【００２１】
なお、本発明においてシール温度領域とは、シーラント層が熱融着機能を発揮する温度領域をいう。
【発明の効果】
【００２２】
本発明の多室包装袋は、いずれも一方のフィルムと分割フィルムの対向面がそれぞれ低融点シーラント層、他方のフィルムと分割フィルムの対向面がそれぞれ低融点シーラント層より融点が高い高融点シーラント層となっている。したがって、上記低融点シーラント層と高融点シーラント層の融点の差によるシール温度領域の差を利用することで、低融点シーラント層同士が対向している一方のフィルムと分割フィルムの開口部側の縁部のみを選択的に熱融着させることができる。本発明の包装体の製造方法では、一方のフィルム側の収納部に先に被包装物を充填し、充填後直ちに一方のフィルムと分割フィルムの開口部側の縁部のみを選択的に熱融着させており、これにより、一方のフィルム側の収納部を被包装物の充填後直ちに密封して異物の混入防止を図ることができる。
【００２３】
また、本発明の多室包装袋について、一方のフィルムと分割フィルムの開口部側の縁部を熱融着させた後は、一方のフィルムと分割フィルムが一体に吸引されるので、吸引孔を利用することなく他方のフィルム側の収納部を開口させることができる。本発明の多室包装袋を用いた包装体の製造方法では、一方のフィルムと分割フィルムの開口部側の縁部を熱融着させた後、他方のフィルム側の収納部を開口させる手順としているので、他方のフィルム側の収納部を開口させるための吸引孔を省略することができる。
【００２４】
【００２５】
本発明の多室包装袋は、他方のフィルム側の収納部を開閉するジッパーを有しており、ジッパーを閉じた状態では分割フィルムが他方のフィルムと一体に吸引されるので、吸引孔を設けることなく、一方のフィルムと他方のフィルムを吸引することで、一方のフィルム側の収納部を選択的に開口させることができる。したがって、本発明の多室包装袋及びこれを用いた包装体の製造方法によれば、吸引孔を必要とせず、吸引孔の形成により生じる前記弊害を解消することができる。
【００２６】
【００２７】
【図面の簡単な説明】
【００２８】
【図１】参考多室包装袋を構成するフィルムの組み合わせ状態の説明図である。
【図２】参考多室包装袋の斜視図である。
【図３】参考多室包装袋の拡大横断面図である。
【図４】参考多室包装袋を把持具にセットした状態の斜視図である。
【図５】参考多室包装袋を用いた第一充填工程の説明図である。
【図６】参考多室包装袋を用いた第一シール工程の説明図である。
【図７】参考多室包装袋を用いた第二充填工程の説明図である。
【図８】参考多室包装袋を用いた第二シール工程の説明図である。
【図９】参考多室包装袋を用いて製造された包装体の一参考例を示す平面図である。
【図１０】参考多室包装袋を用いて製造された包装体の他の参考例を示す平面図である。
【図１１】本発明の多室包装袋を構成するフィルムの組み合わせ状態の説明図である。
【図１２】本発明の多室包装袋の斜視図である。
【図１３】本発明の多室包装袋を用いた第一充填工程の説明図である。
【図１４】本発明の多室包装袋のジッパー開放時の説明図である。
【図１５】本発明の多室包装袋を用いた第二充填工程の説明図である。
【図１６】本発明の多室包装袋を用いて製造された包装体の一例を示す平面図である。
【発明を実施するための形態】
【００２９】
以下、本発明を図面に基づいて更に説明する。なお、以下に述べる図面において、同じ符号は同様の部材又は部位を示す。
【００３０】
＜参考多室包装袋及びこれを用いた参考例の包装体の製造方法＞
まず、図１〜図１０に基づいて、参考多室包装袋と、これを用いた参考例の包装体の製造方法を説明する。
【００３１】
図１は参考多室包装袋を構成するフィルムの組み合わせ状態の説明図、図２は参考多室包装袋の斜視図、図３は参考多室包装袋の拡大横断面図、図４は参考多室包装袋を把持具にセットした状態の斜視図、図５は参考多室包装袋を用いた第一充填工程の説明図、図６は参考多室包装袋を用いた第一シール工程の説明図、図７は参考多室包装袋を用いた第二充填工程の説明図、図８は参考多室包装袋を用いた第二シール工程の説明図、図９は参考多室包装袋を用いて製造された包装体の一参考例を示す平面図、図１０は参考多室包装袋を用いて製造された包装体の他の参考例を示す平面図である。
【００３２】
図１及び図２に示されるように、参考多室包装袋４Ａは、一方のフィルム１、分割フィルム２及び他方のフィルム３の三枚のフィルムで構成されている。一方のフィルム１と他方のフィルム３は、参考多室包装袋４Ａの表裏に位置するもので、いずれが表面でも裏面でもよいが、説明の便宜上、一方のフィルム１を袋の表面側に位置する表面フィルム、他方のフィルム３を袋の裏面側に位置する裏面フィルムとして説明する（後述する本発明の多室包装袋４Ｂについても同じ）。
【００３３】
本参考例における上記表面フィルム１、分割フィルム２及び裏面フィルム３は同形同大となっている。多室包装袋４Ａは、表面フィルム１、分割フィルム２及び裏面フィルム３を、表面フィルム１と裏面フィルム３の間に分割フィルム２を挟み込んで重ね、周縁部の三方を熱融着した袋状をなしている。５、６は袋の三方に形成された熱融着部で、５は側縁融着部、６は底縁融着部である。
【００３４】
分割フィルム２は、上記熱融着が施されていない一縁部に形成された、表面フィルム１と裏面フィルム３間の開口部７を二分しており、分割フィルム２を境にして、表面フィルム１側と裏面フィルム３側とにそれぞれ収納部８ａ，８ｂが形成されている。収納部８ａ，８ｂは、上記分割フィルム２で二分された開口部７の一方と他方である開口部７ａ，７ｂをそれぞれ有するものとなっている。裏面フィルム３の開口部７（７ｂ）側の縁部の中央部には、裏面フィルム３側から分割フィルム２を吸引することができるよう、裏面フィルム３を貫通する吸引孔９が形成されている。
【００３５】
参考多室包装袋４Ａには、表面フィルム１と分割フィルム２間に形成された表面フィルム１側の収納部８ａと、裏面フィルム３と分割フィルム２間に形成された裏面フィルム３側の収納部８ｂとに分けて、２種類の被包装物を充填することができる。被包装物は、表面フィルム１側の収納部８ａと、裏面フィルム３側の収納部８ｂとを別々に開くこと（開口部７ａと７ｂを別々に開くこと）で、充填箇所を誤ることなく自動充填することができる。
【００３６】
図３に示されるように、表面フィルム１は、基材層１ａの内面側（収納部８ａ側）に低融点シーラント層１ｂを積層したもので、裏面フィルム３は、基材層３ａの内面側（収納部８ｂ側）に、低融点シーラント層１ｂより融点が高い高融点シーラント層３ｂを積層したものとなっている。また、分割フィルム２は、基材層２ａの片面に低融点シーラント層２ｂを積層し、他面に高融点シーラント層２ｃを積層したもので、低融点シーラント層２ｂを表面フィルム１の低融点シーラント層１ｂと対向させ、高融点シーラント層２ｃを裏面フィルム３の高融点シーラント層３ｂと対向させている。側縁融着部５と底縁融着部６（図２参照）は、高融点シーラント層２ｃ，３ｂ同士の熱融着と、低融点シーラント層１ｂ，２ｂ同士の熱融着とにより形成されている。
【００３７】
低融点シーラント層１ｂ，２ｂと、高融点シーラント層２ｃ，３ｂとは、それぞれのシール温度領域をずらすことで、後述する第一シール工程において、高融点シーラント層２ｃ，３ｂ同士を熱融着させることなく、低融点シーラント層１ｂ，２ｂ同士を選択的に熱融着可能とするためのものである。このため、高融点シーラント層２ｃ，３ｂの融点は、低融点シーラント層１ｂ，２ｂの融点より２０℃以上高くなっている。高融点シーラント層２ｃ，３ｂの融点が低過ぎると、高融点シーラント層２ｃ，３ｂと低融点シーラント層１ｂ，２ｂのシール温度領域が接近し、上記選択的な熱融着が行いにくくなる。上限は、一般的なシーラント層の融点や、基材層１ａ，２ａ，３ａ，の融点などから定まる。また、低融点シーラント層１ｂと２ｂ、並びに、高融点シーラント層２ｃと３ｂとしては、一般的には同じ合成樹脂が用いられるが、異なる合成樹脂を用いることもできる。異なる合成樹脂を用いる場合、融点の低い方の高融点シーラント層２ｃ又は３ｂの融点を、融点の高い方の低融点シーラント層１ｂ又は２ｂの融点より２０℃以上高くする。なお、本発明において融点とは、ＪＩＳ−Ｋ−７１２１に基づいて測定した値をいう。
【００３８】
表面フィルム１、分割フィルム２及び裏面フィルム３の各基材層１ａ，２ａ，３ａとしては、合成樹脂の単層又は積層フィルムを用いることができる。積層フィルムとしては、合成樹脂層同士を積層したものの他、合成樹脂層と、金属その他の無機物層や紙層などを積層したものでもよい。また、各基材層１ａ，２ａ，３ａとしては、それぞれ同じ構成のフィルムでも、異なる構成のフィルムでもよい。
【００３９】
次に、上記参考多室包装袋４Ａを用いた参考例の包装体の製造方法の一例について説明する。
【００４０】
上記参考多室包装袋４Ａを用いた参考例の包装体の製造は、例えば図４に示されるような把持具１０，１０で参考多室包装体４Ａを立てた状態で保持して行うことができる。
【００４１】
図４に示されるように、参考多室包装袋４Ａを、側縁融着部５，５の上部を把持具１０，１０で把持して吊り下げ、表面フィルム１と裏面フィルム３の外面に向かってそれぞれ進退可能な一対の吸引盤１１ａ，１１ｂ間に位置させる。この把持具１０，１０としては、側縁融着部５，５を挟み付けて保持するクリップ状のものを用いることができる。また、両把持具１０，１０は、収納部８ａ，８ｂを大きく開口させることができるようにすると共に、この開放に伴って参考多室包装袋４Ａに無理な力が加わらないよう、対向方向に弾性的に進退可能としておくことが好ましい。
【００４２】
表面フィルム１側の収納部８ａ（図２参照）と、裏面フィルム３側の収納部８ｂ（図２参照）の選択的開放は、上記吸引盤１１ａ，１１ｂの進退と吸引によって行われる。吸引盤１１ａ，１１ｂによる吸引位置については後述するが、この吸引位置の調節は、吸引盤１１ａ，１１ｂ間における参考多室包装袋４Ａの位置を調節することで行うこともできる。しかし、吸引位置の調節を行いやすくするために、上記吸引盤１１ａ，１１ｂは、対向する表面フィルム１又は裏面フィルム３に沿って上下左右に移動可能としておくことが好ましい。
【００４３】
まず、表面フィルム１側の収納部８ａを開放して被包装物を充填する第一の充填工程について説明する。
【００４４】
図５に示されるように、両吸引盤１１ａ，１１ｂを、表面フィルム１と裏面フィルム３とに向かって前進させ、表面フィルム１の開口部７側の縁部の中央部付近と、裏面フィルム３の吸引孔９の部分とにそれぞれ当接させて吸引する。これによって、吸引盤１１ａに表面フィルム１が吸着される。また、吸引盤１１ｂには吸引孔９を介して分割フィルム２の開口部７側の縁部が吸引されて吸着されると共に、裏面フィルム３の吸引孔９の周囲も吸着される。この状態で吸引盤１１ａ，１１ｂを後退させると、表面フィルム１と、分割フィルム２と一緒に吸引された裏面フィルム３とがそれぞれ外方へ引っ張られて、表面フィルム１側の収納部８ａの開口部７ａが広げられる。この時、裏面フィルム３側の収納部８ｂ（図２参照）の開口部７ｂは、裏面フィルム３が分割フィルム２と共に吸引盤１１ｂに吸着されて閉じられているので、誤投入を防止しつつ、被包装物を確実に表面フィルム１側の収納部８ａに自動充填することができる。
【００４５】
前記のように、把持具１０，１０を対向方向に弾性的に進退可能としておくと、両吸引盤１１ａ，１１ｂを後退させて表面フィルム１と裏面フィルム３を外方へ引っ張った時に、両把持具１０，１０が弾性的に対向方向に前進し、参考多室包装袋４Ａに過剰な張力が働くのを防止することができる。また、表面フィルム１側の収納部８ａに被包装物を充填した後、両吸引盤１０ａ，１０ｂを前進させると、両把持具１０，１０は弾性的に後退し、これに伴って収納部８ａの開口部７ａを閉じた状態に戻すことができる。
【００４６】
次に、被包装物を充填した表面フィルム１側の収納部８ａを封止する第一シール工程を施す。
【００４７】
第一シール工程は、上記第一充填工程の後、図６に示されるように、表面フィルム１、分割フィルム２及び裏面フィルム３の開口部７側の縁部を重ねてシールバー１２，１２で挟み、表面フィルム１と分割フィルム２の開口部７側の縁部同士を熱融着することで行われる。この時、表面フィルム１と分割フィルム２だけではなく、裏面フィルム３もシールバー１２，１２に挟み込まれる。しかし、図３で説明した高融点シーラント層２ｃ，３ｂを当該高融点シーラント層２ｃ，３ｂのシール温度領域まで加熱することなく、低融点シーラント層１ｂ，２ｂを当該低融点シーラント層１ｂ，２ｂのシール温度領域まで加熱することにより、高融点シーラント層２ｃ，３ｂが対向している裏面フィルム３と分割フィルム２の開口部７側の縁部を熱融着させることなく、低融点シーラント層１ｂ，２ｂが対向している表面フィルム１と分割フィルム２の開口部７側の縁部のみを熱融着させることができる。つまり、裏面フィルム３側の収納部８ｂを封止することなく、表面フィルム１側の収納部８ａのみを封止することができる。
【００４８】
次に、裏面フィルム３側の収納部８ｂを開放して被包装物を充填する第二の充填工程を施す。
【００４９】
第二充填工程は、上記第一シール工程の後、図７に示されるように、吸引盤１１ａ，１１ｂで表面フィルム１と裏面フィルム３を吸引して外方へ引っ張ることで行われる。図７中１３’は上記第一シール工程で形成した上縁融着部（表面フィルム１と分割フィルム２の開口部７側の縁部同士の熱融着部）である。
【００５０】
表面フィルム１に対向する吸引盤１１ａを、上記上縁融着部１３’が形成された、表面フィルム１の開口部７側の縁部中央部付近に当接させ、裏面フィルム３に対向する吸引盤１１ｂを、吸引孔９の位置からずれた、裏面フィルム３の開口部７側の縁部に当接させてそれぞれ吸引する。表面フィルム１と裏面フィルム３とが吸引盤１１ａ，１１ｂにそれぞれ吸着された状態で、両吸引盤１１ａ，１１ｂを後退させると、表面フィルム１が上縁融着部１３’で接合された分割フィルム２を伴って外方へ引っ張られると共に、裏面フィルム３が外方へ引っ張られて、裏面フィルム３側の収納部８ｂの開口部７ｂが開放される。この時、表面フィルム１側の収納部８ａの開口部７ａは上縁融着部１３’で封止されているので、誤投入を防止しつつ、被包装物を確実に裏面フィルム３側の収納部８ｂに自動充填することができる。
【００５１】
なお、把持具１０，１０を対向方向に弾性的に進退可能としておくと、この第二充填工程においても、前記第一充填工程と同様に進退して、参考多室包装袋４Ａへ過剰な負荷が加わるのを防止することができる。
【００５２】
更に、被包装物を充填した裏面フィルム３側の収納部８ｂを封止する第二シール工程を施す。
【００５３】
第二シール工程は、上記第二充填工程の後、上縁融着部１３’で接合された表面フィルム１と分割フィルム２の開口部７側の縁部と、裏面フィルム３の開口部７側の縁部とを重ね、図８に示されるように、シールバー１２，１２で挟み、裏面フィルム３と分割フィルム２の開口部７側の縁部同士を熱融着することで行われる。この第二シール工程においては、図３で説明した高融点シーラント層２ｃ，３ｂを当該高融点シーラント層２ｃ，３ｂのシール温度領域まで加熱する。これにより、高融点シーラント層２ｃ，３ｂが対向している裏面フィルム３と分割フィルム２の開口部７側の縁部が熱融着され、裏面フィルム３側の収納部８ｂが封止される。同時に、上記高融点シーラント層２ｃ，３ｂより融点が低い低融点シーラント層１ｂ，２ｂもそのシール温度領域まで加熱されることになり、低融点シーラント層１ｂ，２ｂが対向している表面フィルム１と分割フィルム２の開口部７側の縁部はいわば再熱融着されることになる。
【００５４】
上記第二シール工程で、図９に示されるように、吸引孔９を内包する上縁融着部１３を形成して開口部７（７ａ，７ｂ）を封止し、包装体の製造を完了する。図９に示される上縁融着部１３は、表面フィルム１、分割フィルム２及び裏面フィルム３の開口部７側の縁部が相互に熱融着された部分である。
【００５５】
ところで、図９に示される包装体は、上縁融着部１３に吸引孔９の跡が、裏面フィルム３側のみではあるが、凹部として残る。そこで、図１０に示されるように、上記上縁融着部１３の形成後、吸引孔９部分を打ち抜いて、吸引孔９を内包する単一の貫通孔を吊り下げ孔１４として形成することが好ましい。この吊り下げ孔１４は、製造された包装体を店頭で吊り下げ陳列するためのもので、この吊り下げ孔１４で吸引孔９の跡を消してしまうことにより、違和感を無くすことができる。吊り下げ孔１４は、吸引孔９と同じか吸引孔９より大きい貫通孔として形成されるもので、図示される円形の孔の他、楕円形、ひょうたん形、卵形、おむすび形などとすることもできる。
【００５６】
＜本発明の多室包装袋及びこれを用いた本発明の包装体の製造方法＞
次に、図１１〜図１６に基づいて、本発明の多室包装袋の一例と、これを用いた本発明の包装体の製造方法の一例を説明する。
【００５７】
図１１は本発明の多室包装袋を構成するフィルムの組み合わせ状態の説明図、図１２は本発明の多室包装袋の斜視図、図１３は本発明の多室包装袋を用いた第一充填工程の説明図、図１４は本発明の第二の多室包装袋のジッパー開放時の説明図、図１５は本発明の多室包装袋を用いた第二充填工程の説明図、図１６は本発明の多室包装袋を用いて製造された包装体の一例を示す平面図である。
【００５８】
図１１及び図１２に示されるように、本発明の多室包装袋４Ｂは、基本的には図１及び図２で説明した参考多室包装袋４Ａと同様であるが、裏面フィルム３と分割フィルム２の開口部７（７ｂ）側の縁部には、両者間に形成された収納部８ｂを開閉可能とするジッパー１５が取り付けられている。ジッパー７は、凸条を有する雄型１５ａと、凹条を有する雌型１５ｂとからなるもので、雄型１５ａと雌型１５ｂを嵌め合わせることで収納部８ｂを閉鎖し、嵌め合わせを解除することで収納部８ｂを開放できるものとなっている。また、本発明の多室包装袋４Ｂは、図１及び図２で説明した参考多室包装袋４Ａに設けられている吸引孔９（図２参照）を有さないものとなっている。
【００５９】
本発明の多室包装袋４Ｂは、上記ジッパー７を有し、吸引孔９（図２参照）を有さない点以外は、前記参考多室包装袋４Ａと同様で、表面フィルム１、分割フィルム２及び裏面フィルム３の各層構成も図３で説明した層構成と同様である。
【００６０】
次に、上記多室包装袋４Ｂを用いた包装体の製造方法の一例を、前記参考多室包装袋４Ａを用いた参考例の包装体の製造方法との相違点を中心にして説明する。
【００６１】
表面フィルム１側の収納部８ａを開放して被包装物を充填する第一の充填工程は、図１３に示されるように、ジッパー１５が閉じた状態で行われる。ジッパー１５が閉じた状態で、両吸引盤１１ａ，１１ｂをそれぞれ表面フィルム１と裏面フィルム３とに向かって前進させ、両者の開口部７側の縁部中央部付近にそれぞれ当接させて吸引する。表面フィルム１と裏面フィルム３が吸引盤１１ａ，１１ｂにそれぞれ吸着された状態で、両吸引盤１１ａ，１１ｂを後退させる。これにより、裏面フィルム３と共に、閉じたジッパー７によって裏面フィルム３と接合状態にある分割フィルム２が外方に引っ張られると共に、表面フィルム１が外方に引っ張られて、表面フィルム１側の収納部８ａの開口部７ａが開き、収納部８ａを開放することができる。この時、裏面フィルム３側の収納部８ｂ（図１２参照）の開口部７ｂはジッパー１５によって閉じた状態であるので、誤投入を防止しつつ、被包装物を確実に表面フィルム１側の収納部８ａに自動充填することができる。
【００６２】
上記第一充填工程の後に行われる第一シール工程は、前記参考多室包装袋４Ａを用いた参考例の包装体の製造方法における第一シール工程と同様であるが、図６で説明したシールバー１２，１２での挟み込み箇所は、ジッパー１５より外側部分である。
【００６３】
次に、裏面フィルム３側の収納部８ｂを開放して被包装物を充填する第二の充填工程は、ジッパー１５を開放して行われる。まず、ジッパー１５の開放方法について図１４で説明する。図１４中１３’は、上記第一シール工程でジッパー１５より外側に形成した上縁融着部（表面フィルム１と分割フィルム２の開口部７側の縁部同士の熱融着部）である。
【００６４】
図１４に示されるように、吸引盤１１ａ，１１ｂを、表面フィルム１と裏面フィルム３のジッパー１５より外側の開口部７側の縁部中央部付近にそれぞれ当接させて吸引し、表面フィルム１と裏面フィルム３を吸引盤１１ａ，１１ｂにそれぞれ吸着する。この状態で吸引盤１１ａ，１１ｂを若干後退させると、表面フィルム１と共に、上縁融着部１３’によって表面フィルム１と接合されている分割フィルム２が外方に引っ張られると共に、裏面フィルム３が外方に引っ張られて、ジッパー７は閉じた状態ではあるが、表面フィルム１と分割フィルム２のジッパー１５より外側の縁部間を広げることができる。この広げられた縁部間にヘラ状又は爪状の解除具１６を差し込み、ジッパー１５に押し当てて、雄型１５ａと雌型１５ｂの嵌め合わせを解除することで、容易にジッパー１５を開くことができる。
【００６５】
ジッパー１５の開放は、表面フィルム１と裏面フィルム３を吸引盤１１ａ，１１ｂで吸着した後、両吸着盤１１ａ，１１ｂを強く後退させることでも行うことが可能である。しかし、上記のように解除具１６を使用すると、多室包装袋４Ｂに無理な力を加えることなく確実に開放できるので好ましい。
【００６６】
上記のようにしてジッパー１５を開放することで、裏面フィルム３側の収納部８ｂ（図１２参照）を選択的に開放することができるようになる。この裏面フィルム３側の収納部８ｂを開放する方法について説明する。
【００６７】
ジッパー１５の開放後、ジッパー１５の開放時の吸着盤１１ａ，１１ｂの吸着位置を維持したまま、さらに吸着盤１１ａ，１１ｂを後退させると、図１５に示されるように、裏面フィルム３が外方へ引っ張られると共に、表面フィルム１が上縁融着部１３’で接合された分割フィルム２を伴って外方へ引っ張られ、裏面フィルム３側の収納部８ｂの開口部７ｂが広げられる。この時、表面フィルム１側の収納部８ａは上縁融着部１３’によって封止されているので、誤投入を防止しつつ、被包装物を確実に裏面フィルム３側の収納部８ｂへ自動充填することができる。
【００６８】
上記第二充填工程の後に行われる第二シール工程は、前記参考多室包装袋４Ａを用いた参考例の包装体の製造方法における第二シール工程と同様であるが、図８に示されるシールバー１２，１２での挟み込み箇所は、ジッパー１５より外側部分で、通常、上縁融着部１３’に対応する領域である。この第二シール工程で、図１６に示される上縁融着部１３（表面フィルム１、分割フィルム２及び裏面フィルム３の開口部７側の縁部が相互に熱融着された部分）を形成して開口部７（７ａ，７ｂ）を封止し、包装体の製造を完了する。また、前記第二充填工程において開けられたジッパー１５は、第二シール工程における上縁融着部１３の形成前又は後若しくは上縁融着部１３の形成と同時に、挟持ローラや押え板（図示されていない）間にジッパー１５部分を挟み付けることで閉鎖しておくことが好ましい。
【００６９】
【００７０】
【００７１】
【００７２】
【００７３】
【００７４】
【００７５】
【００７６】
【００７７】
【００７８】
【００７９】
【００８０】
【００８１】
【００８２】
【００８３】
【００８４】
【００８５】
【００８６】
【００８７】
【００８８】
【００８９】
【００９０】
【００９１】
【００９２】
【００９３】
【００９４】
【００９５】
【００９６】
【００９７】
【００９８】
【００９９】
【０１００】
【０１０１】
【０１０２】
【０１０３】
【０１０４】
【０１０５】
【０１０６】
【０１０７】
【０１０８】
【０１０９】
【０１１０】
【０１１１】
【０１１２】
【０１１３】
【０１１４】
【０１１５】
【０１１６】
【０１１７】
【０１１８】
【０１１９】
【０１２０】
以上の説明では、本発明の多室包装袋４Ｂは四方シール袋を構成するものとなっているが、三方シール袋を形成するものとしたり、ガゼットタイプや自立型の袋を構成するものとすることもできる。また、表面フィルム１、分割フィルム２及び裏面フィルム３は同形同大としたが、表面フィルム１と裏面フィルム３の一方を他方に比して上下方向長さが短いものとし、収納部８ａ，８ｂの一方の深さを他方より浅くして、被包装物の収納量の相違に対応することもできる。
【０１２１】
また、把持具１０，１０を用いた方法を説明したが、把持具１０，１０を用いずに行うこともできる。例えば、表面フィルム１側の吸引盤１１ａを一定位置に固定しておき、この吸引盤１１ａに表面フィルム１の開口部７側の縁部を吸着させて本発明の多室包装袋４Ｂを立てて保持し、裏面フィルム３側の吸引盤１１ｂを必要に応じて吸引位置を変えて進退させることでも包装体を製造することができる。
【符号の説明】
【０１２２】
１  表面フィルム（一方のフィルム）
２  分割フィルム
２ａ 基材層
２ｂ 低融点シーラント層
２ｃ 高融点シーラント層
３  裏面フィルム（他方のフィルム）
３ａ 基材層
３ｂ 高融点シーラント層
４Ａ  参考多室包装袋
４Ｂ 本発明の多室包装袋
５  側縁融着部
６  底縁融着部
７，７ａ，７ｂ  開口部
８ａ，８ｂ  収納部
９  吸引孔
１０  把持具
１１ａ，１１ｂ  吸引盤
１２  シールバー
１３’，１３  上縁融着部
１４  吊り下げ孔
１５  ジッパー
１５ａ  雄型
１５ｂ  雌型
１６  解除具
【図１】
0005642825.tif 000002
【図２】
0005642825.tif 000003
【図３】
0005642825.tif 000004
【図４】
0005642825.tif 000005
【図５】
0005642825.tif 000006
【図６】
0005642825.tif 000007
【図７】
0005642825.tif 000008
【図８】
0005642825.tif 000009
【図９】
0005642825.tif 000010
【図１０】
0005642825.tif 000011
【図１１】
0005642825.tif 000012
【図１２】
0005642825.tif 000013
【図１３】
0005642825.tif 000014
【図１４】
0005642825.tif 000015
【図１５】
0005642825.tif 000016
【図１６】
0005642825.tif 000017